(57)【要約】【課題】  安価且つ簡単な検出手段により建物内外の探し物の存在位置を検出することができる、ＲＦＩＤタグを用いた探し物検出装置を得る。【解決手段】  物品に取り付け当該物品の存在位置を検出するための固有ＩＤ情報を有したＲＦＩＤタグと、検出すべき物品に取り付けたＲＦＩＤタグの固有ＩＤ情報を含んだ検出信号を送信し、該当するＲＦＩＤタグと無線通信を行うことにより物品の存在位置の検出を行うための検出装置により構成する。また、前記検出装置より送信される検出信号の送信強度は少なくとも２段階以上有し、物品に取り付けたＲＦＩＤタグとの通信距離を選択変更することができる機能を有するものとする。【選択図】        図１
0003118790.tif 000002
【実用新案登録請求の範囲】
【請求項１】
物品に取り付け当該物品の存在位置を検出するための固有ＩＤ情報を有したＲＦＩＤタグと、検出すべき物品に取り付けたＲＦＩＤタグの固有ＩＤ情報を含んだ検出信号を送信し、該当するＲＦＩＤタグと無線通信を行うことにより物品の存在位置の検出を行うための検出装置により構成し、
該検出装置より送信される検出信号の送信強度は少なくとも２段階以上有し、物品に取り付けたＲＦＩＤタグとの通信距離を選択変更することができる機能を有するものであり、
建物内外において探し物検出を行なうことができることを特徴とする、ＲＦＩＤタグを用いた探し物検出装置。
【考案の詳細な説明】
【技術分野】
【０００１】
本考案は、ＲＦＩＤ（Radio Frequency Identification）タグを物品に取付け、該物品が見当たらない場合において前記ＲＦＩＤタグと無線通信を行うことにより当該物品の存在位置を検出することができる、ＲＦＩＤタグを用いた探し物検出装置に関するものである。
【背景技術】
【０００２】
従来、身の回り品である携帯電話，キー，財布，定期入れ，メガネ，時計，アクセサリー等の物品は頻繁に持ち出しや保管を繰り返すため、通常の保管場所と異なるところに置き忘れたり紛失してしまうことがしばしばあった。該状況においては、記憶を頼りに探し回るのが一般的であった。
【０００３】
上記従来の方法では記憶だけが頼りであるため、記憶がない場合には非常に困難を伴っていた。このため、特開２００４−０６９３３１号公報の「探し物検知装置」においては、電子タグを建物内にある物品に取り付け、該物品と部屋とを関連付けて探知機に記憶させ、該探知機より任意の周波数電波を送信し、感応した電子タグの発振による出力又は該発振を受信した検知機の出力により探し物を検知する方法が開示されている。また、特開２００４−２９４４０３号公報の「情報処理装置」においては、識別無線タグを物品に取り付け、該識別無線タグから送信される識別データを探索機にて受信し、受信強度に基づいて物品の位置情報を算出すると共に表示器に物品までの距離や位置を表示することにより探し物を検索する方法が開示されている。
【特許文献１】特開２００４−０６９３３１
【特許文献２】特開２００４−２９４４０３
【考案の開示】
【考案が解決しようとする課題】
【０００４】
しかしながら、上記特開２００４−０６９３３１号公報による方法においては、物品と部屋とを関連付けるために建物内の出入口に部屋を識別するための電子タグを取り付けたり、探知機や無線ネットワークにより接続された基地局により建物内の物品の出入を管理する必要があった。また、特開２００４−２９４４０３号公報による方法においても、タッチペン入力機能付きの表示器により物品のデータ登録を行ったり、物品までの距離や位置を表示するために測量手法を用いて計測を行う必要があった。
【０００５】
上記何れの方法においても、探知機や探索機側のシステムが高機能化しているため、システムの導入費用が非常に高額になってしまうという問題点があった。また、探知機や探索機にタッチペン入力機能付きの表示器を有するため、機器が大型化すると共に、建物外において使用することができないといった問題点があった。このため、一般家庭への普及には至らないという問題点があった。また、操作も複雑であるといった問題点もあった。通常、携帯電話等の物品の保管場所は特定の場所に決められており、仮に別の場所に置き忘れたり紛失したとしても大概は予想される範囲内の場所であることから、安価且つ簡単な検出手段による探し物検出装置が望まれていた。
【０００６】
本考案は、以上述べたような問題点を解決するために成されたものであり、探し物を検出するための手段として、物品と部屋とを関連付けてネットワークで管理したり測量手法を用いて検索することなく、安価且つ簡単な検出手段により建物内外の探し物の存在位置を検出することができる、ＲＦＩＤタグを用いた探し物検出装置を提供することを目的とする。
【課題を解決するための手段】
【０００７】
上記課題を解決するため、本考案のＲＦＩＤタグを用いた探し物検出装置においては、物品に取り付け当該物品の存在位置を検出するための固有ＩＤ情報を有したＲＦＩＤタグと、検出すべき物品に取り付けたＲＦＩＤタグの固有ＩＤ情報を含んだ検出信号を送信し、該当するＲＦＩＤタグと無線通信を行うことにより物品の存在位置の検出を行うための検出装置により構成する。
【０００８】
上記検出装置より送信される検出信号の送信強度は少なくとも２段階以上有し、物品に取り付けたＲＦＩＤタグとの通信距離を選択変更することができる機能を有するものとする。
【考案の効果】
【０００９】
本考案のＲＦＩＤタグを用いた探し物検出装置によれば、検出すべき物品に取り付けたＲＦＩＤタグの固有ＩＤ情報を含んだ検出信号の選択送信及び当該検出信号の送信強度を選択変更し、該当するＲＦＩＤタグと無線通信を行うことにより物品の存在位置を検出する方式であり、建物外においても使用することができると共に表示器も不要であるため、検出装置及びシステムが小型且つ簡単に構成できるという効果を奏する。従って、安価且つ簡単な検出手段により探し物の存在位置を検出することができるため、一般家庭における普及が容易になるという絶大なる効果を奏する。
【考案を実施するための最良の形態】
【００１０】
本考案を実施するための最良の形態を図を用いて説明する。
【００１１】
図１は本考案のＲＦＩＤタグを用いた探し物検出装置のシステム構成図であり、物品として例えば携帯電話１７のストラップ１８及びキー１９のホルダー２０に固有ＩＤ情報を有したＲＦＩＤタグ２１を各々取り付ける。また、検出装置１より、検出すべき物品に取り付けたＲＦＩＤタグ２１の固有ＩＤ情報を含んだ検出信号を検出スイッチ２により選択送信し、該当するＲＦＩＤタグ２１と無線通信を行うことにより物品の存在位置を検出する。また、出力切替スイッチ３により検出信号の送信強度を少なくとも２段階以上変更し、無線通信の応答範囲を限定させる機能を持たせる。
【００１２】
図２は本考案のＲＦＩＤタグを用いた探し物検出装置における検出装置の一実施例の外形図である。該検出装置１は、カード型のケース表面に、物品に取り付けたＲＦＩＤタグ２１と無線通信を行うための検出スイッチ２と、検出信号の送信強度を変更するための出力切替スイッチ３と、検出対象のＲＦＩＤタグ２１からの応答信号を受信することにより物品の検出を知らせるためのブザー５等を配設して構成する。また、ケース内部には、通信回路等を実装したプリント基板１６と、バッテリー６等を収納して構成する。なお、検出装置１の外形は、図示するようなカード型以外に、細長い棒状のスティック型や、円形又は楕円形状のペンダント型など任意の形状であっても構わない。
【００１３】
上記検出スイッチ２の個数は、図２においては１〜５の５個であるため、５種類の固有ＩＤ情報を有したＲＦＩＤタグ２１と無線通信が行える。従って、５個の物品の探し物検出が行える。該検出スイッチ２の上面には番号を印刷したり、携帯電話やキー等のイラストシールを貼ったり、ペンで名称を記入できるようにするなど検出対象物品が容易に判断できるようにすると好適である。また、検出スイッチ２を押した時に当該検出スイッチ２の内部よりＬＥＤ等にて照光させるようにすると更に好適である。なお、検出スイッチ２の個数は、図示するように５個に限定することなく任意の個数にしても構わない。
【００１４】
また、上記出力切替スイッチ３は、１回押す毎に検出信号の送信出力の強弱が切替り、内部のＬＥＤ４にて強弱状態が判断できる構造となっている。ここで、検出信号のキャリア周波数を９５０ＭＨｚ帯とした場合、例えば「強」における通信距離を５ｍ程度とし、「弱」における通信距離を２ｍ程度にすると好適である。なお、送信強度の切替レベルは図示するように強／弱の２段階に限定することなく、任意の段階数に選択変更するようにしても構わない。
【００１５】
図３は本考案のＲＦＩＤタグを用いた探し物検出装置におけるＲＦＩＤタグの一実施例の外形図である。該ＲＦＩＤタグ２１は、細長い平板状ケース内に、上記検出装置１と無線通信を行うためのアンテナ２３及びＲＦＩＤチップ２４と、検出装置１による応答を出力するためのＬＥＤ３４と、後述する充電用コンデンサがＲＦＩＤチップ２４に内蔵できない場合における外付けの充電用コンデンサ３０等を配線収納して構成する。また、該ＲＦＩＤタグ２１の上端部に穴２２を設け、ストラップ１８やホルダー２０等が通るようにする。なお、ＲＦＩＤタグ２１の外形は、図示するようなタグ型以外に、更に小型化して両面テープで接着可能にしたシール型など任意の形状であっても構わない。
【００１６】
図４は本考案のＲＦＩＤタグを用いた探し物検出装置における検出装置のブロック図である。該検出装置１における通信ブロックは、物品に取り付けたＲＦＩＤタグ２１のアンテナ２３と電磁界又は電磁波により通信を行うためのアンテナ７と、検出信号送信時において送信回路９から出力される送信信号をアンテナ７に接続し受信時においてアンテナ７で受信した応答信号を受信回路１０に接続して入力するための切換器８と、前記送信回路９にキャリアを重畳した変調信号を出力したり受信回路１０で受信した応答信号を検波して復調信号を得るための変復調回路１１により構成する。
【００１７】
次に、上記変復調回路１１及び切換器８をＣＰＵ１３に接続して通信制御を行う。また、該ＣＰＵ１３に入出力回路１４を接続し、更に該入出力回路１４に複数の検出スイッチ２と、出力切替スイッチ３と、ＬＥＤ４及びブザー５等を接続して入出力制御を行う。更に、該ＣＰＵ１３に当該検出装置１の制御を行うための制御プログラムと複数の検出スイッチ２に各々対応したＲＦＩＤタグ２１の固有ＩＤ情報等を格納するためのメモリ１２を接続する。
【００１８】
次に、上記検出装置１を駆動するためのバッテリー６を電源回路１５に接続し、安定化された回路電源を各回路に供給する。なお、該バッテリー６は図２においてボタン型で表したが、どのような形状のバッテリーであっても構わない。
【００１９】
図５は本考案のＲＦＩＤタグを用いた探し物検出装置におけるＲＦＩＤタグのブロック図である。アンテナ２３は、検出装置１のアンテナ７と電磁界又は電磁波により通信を行うため同調キャパシタ（図示せず）から成る同調回路２５に接続して共振回路を構成する。該アンテナ２３は一般的にはループアンテナであり、該ループアンテナの導線には相互インダクタンスが大きく取れる高効率なアンテナ素材を使用するのが好適である。キャリア周波数は、通信距離が長い２．４５ＧＨｚや９５０ＭＨｚ帯等のＵＨＦ帯が好適である。
【００２０】
上記同調回路２６の後段には、検出装置１から出力された電磁界又は電磁波がアンテナ２３を通過した時に発生する誘導起電力の電圧波形を検波したり、該誘導起電力を半波又は全波整流して直流電圧を取り出すための整流回路２６を接続する。該整流回路２６で使用するダイオード（図示せず）は順方向電圧降下の低いもの、例えばショットキバリアダイオードが好適である。
【００２１】
次に、上記整流回路２６の後段には、検波したキャリアを分周してシステムクロックを生成するためのクロック生成回路２７と、信号受信時においてキャリアから信号を取り出す復調動作を行ったり信号送信時においてスイッチング素子（図示せず）により変調動作を行うための変復調回路２８と、上記直流電圧を安定化して回路電源を供給したり、充電用コンデンサ３０に充電電圧を供給するための電源回路２９を接続する。該充電用コンデンサ２３は、後述のＬＥＤ点灯回路３３に接続されるＬＥＤ３４に電源を供給するため、大容量コンデンサ例えば電気二重層コンデンサが好適であるが、特に限定するものではない。
【００２２】
次に、上記変復調回路２８の後段には、該変復調回路２８の制御や強誘電体メモリであるＦＲＡＭ（Ferroelectric R A M：米国Ramtron社の登録商標）３２に当該ＲＦＩＤタグ２１の固有ＩＤ情報の書込み又は読出し制御を行うためのロジック回路３１を接続する。また、該ロジック回路３１の後段には、検出装置１から送信される検出信号の固有ＩＤ情報と当該ＲＦＩＤタグ２１の固有ＩＤ情報が一致した場合にＬＥＤ３４を点灯するためのＬＥＤ点灯回路３３を接続する。
【００２３】
上記ＦＲＡＭ３２は不揮発性メモリであり、回路電源がＯＦＦになっても当該ＲＦＩＤタグ２１の固有ＩＤ情報は消失することはない。また、データの書込み電圧は、ＥＥＰＲＯＭやフラッシュメモリのように高圧に昇圧する必要がないため、昇圧回路が簡略化される。また、書込み又は読出し速度はＤＲＡＭと同等であり、ＥＥＰＲＯＭやフラッシュメモリよりはるかに高速であるという特徴を持つものである。なお、ＲＦＩＤタグ２１のメモリとしてＦＲＡＭ３２が好適であるが、これに限定するものではなくＥＥＰＲＯＭ等の他のメモリを使用しても構わない。
【実施例】
【００２４】
本考案の実施例を図を用いて説明する。
【００２５】
まず、図１に示すように物品として例えば携帯電話１７のストラップ１８及びキー１９のホルダー２０に固有ＩＤ情報を有したＲＦＩＤタグ２１を各々取り付ける。該ＲＦＩＤタグ２１は検出装置１とセット販売され、該検出装置１の検出スイッチ２の個数とＲＦＩＤタグ２１の個数は同数である。また、ＲＦＩＤタグ２１の固有ＩＤ情報と検出装置１の検出スイッチ２を押すことにより送信される検出信号に含まれる固有ＩＤ情報は個々に対応するものである。
【００２６】
また、図２に示すように検出装置１において“１”と明記された検出スイッチ２に対応するＲＦＩＤタグ２１が携帯電話１７に取り付けられ、“２”と明記された検出スイッチ２に対応するＲＦＩＤタグ２１がキー１９に取り付けられたものとする。
【００２７】
ここで、携帯電話１７を通常の保管場所と異なるところに置き忘れたり紛失してしまった場合、該置き忘れや紛失の予想される場所において、まず、検出装置１の出力切替スイッチ３を「強」に設定した後、“１”の検出スイッチ２を押して大凡の位置を特定するための検出動作を行う。「強」に設定した時の通信範囲を５ｍ程度とした場合、検出装置１を中心として半径５ｍ程度の範囲内の検出が行えることになる。
【００２８】
次に、検出装置１の出力切替スイッチ３を「弱」に設定した後、“１”の検出スイッチ２を押して近接した位置を特定するための検出動作を行う。「弱」に設定した時の通信範囲を２ｍ程度とした場合、検出装置１を中心として半径２ｍ程度の範囲内の検出が行え、より範囲が限定される。該範囲内であれば、日常生活において保管する場所が予想できるため、置き忘れや紛失した携帯電話１７の存在位置が容易に検出することができる。
【００２９】
上記検出時において、検出装置１から送信される検出信号の固有ＩＤ情報と携帯電話１７に取り付けられたＲＦＩＤタグ２１からの応答信号に含まれる固有ＩＤ情報が一致することにより検出装置１のブザー５が鳴るため、検出を知ることができる。また、ＲＦＩＤタグ２１のＬＥＤ３４が発光するため、夜間等においては更に検出が容易となる。
【００３０】
なお、検出装置１の近くにキー１９に取り付けられたＲＦＩＤタグ２１があっても、固有ＩＤ情報が異なるため応答することはない。従って、検出ボタン２に対応した特定の物品の検出が行えることになる。
【図面の簡単な説明】
【００３１】
【図１】本考案のＲＦＩＤタグを用いた探し物検出装置のシステム構成図である。
【図２】本考案のＲＦＩＤタグを用いた探し物検出装置における検出装置の一実施例の外形図である。
【図３】本考案のＲＦＩＤタグを用いた探し物検出装置におけるＲＦＩＤタグの一実施例の外形図である。
【図４】本考案のＲＦＩＤタグを用いた探し物検出装置における検出装置のブロック図である。
【図５】本考案のＲＦＩＤタグを用いた探し物検出装置におけるＲＦＩＤタグのブロック図である。
【符号の説明】
【００３２】
１  検出装置
２  検出スイッチ
３  出力切替スイッチ
４  ＬＥＤ
５  ブザー
６  バッテリー
７  アンテナ
８  切換器
９  送信回路
１０  受信回路
１１  変復調回路
１２  メモリ
１３  ＣＰＵ
１４  入出力回路
１５  電源回路
１６  基板
１７  携帯電話
１８  ストラップ
１９  キー
２０  ホルダー
２１  ＲＦＩＤタグ
２２  穴
２３  アンテナ
２４  ＲＦＩＤチップ
２５  同調回路
２６  整流回路
２７  クロック生成回路
２８  変復調回路
２９  電源回路
３０  充電用コンデンサ
３１  ロジック回路
３２  ＦＲＡＭ
３３  ＬＥＤ点灯回路
３４  ＬＥＤ
【図１】
0003118790.tif 000003
【図２】
0003118790.tif 000004
【図３】
0003118790.tif 000005
【図４】
0003118790.tif 000006
【図５】
0003118790.tif 000007